(57)【要約】【課題】信頼性と確実性の高い環境配慮型のデータカートリッジの処分を可能とすること。【解決手段】  磁気テープを樹脂製の筐体に収容したデータカートリッジのデータを消去してリサイクル容易に破壊するバン型のデータ消去装置搭載車１であって、側方のスライド式扉４をデータカートリッジ搬入口とし、荷台面に、磁場を印加して磁気データを消去する磁気データ消去装置６と、磁気テープの回転中心を通過するようにカートリッジを筐体ごと二つに切断する切断装置７と、切断片を収容するテープ片収容ボックス８と筐体片収容ボックス９と、を備え、磁気データ消去装置６と切断装置７はカートリッジを平置きするコンベア式の載置面をそれぞれ有しかつ当該載置面がどちらも略同じ高さであって、上流から下流に向けて、カートリッジ搬入口、磁気データ消去装置６、切断装置７、切断片収容箱体（８，９）が順に並んでいることを特徴とする。【選択図】図１
2008146782.tif 000002
【特許請求の範囲】
【請求項１】
磁気テープを樹脂製の筐体に収容したＤＬＴ，ＬＴＯ，ＤＤＳ，その他のデータカートリッジのデータを消去してリサイクル容易に破壊するデータ消去装置搭載車であって、
車両は、バン型車であって、側方もしくは後方の扉をデータカートリッジ搬入口とし、荷台面に、磁場を印加して磁気データを消去するデータ消去装置と、磁気テープの回転中心を通過するようにデータカートリッジを筐体ごと二つに切断する切断装置と、切断片を収容する切断片収容箱体と、を備え、
データ消去装置と切断装置はデータカートリッジを平置きするコンベア式の載置面をそれぞれ有し且つ当該載置面がどちらも略同じ高さであって、
上流から下流に向けて、データカートリッジ搬入口、データ消去装置、切断装置、切断片収容箱体が順に並んでいることを特徴とするデータ消去装置搭載車。
【請求項２】
切断片収容箱体が、磁気テープ収容箱体と筐体収容箱体により構成されていることを特徴とする請求項１に記載のデータ消去装置搭載車。
【請求項３】
荷台の壁に沿って、データ消去装置、切断装置、切断片収容箱体を一直線、Ｌ字またはコの字に配置したことを特徴とする請求項１または２に記載のデータ消去装置搭載車。
【請求項４】
データカートリッジ搬入口とデータ消去装置との間にデータカートリッジ投入箱体を備えたことを特徴とする請求項１、２または３に記載のデータ消去装置搭載車。
【請求項５】
切断装置は帯鋸によりデータカートリッジを切断することを特徴とする請求項１〜４のいずれか一つに記載のデータ消去装置搭載車。
【請求項６】
帯鋸は、ハードディスクドライブ筐体も切断可能なＳＫ鋼もしくはハイス鋼を素材としたことを特徴とする請求項５に記載のデータ消去装置搭載車。
【発明の詳細な説明】
【技術分野】
【０００１】
本発明は、磁気データ消去装置搭載車に関し、特に、磁気データの保管場所に出向き、データ消去の信頼性を高めたデータ消去装置搭載車に関する。
【背景技術】
【０００２】
近年の情報化社会においては、企業や役所（以下、適宜企業等と表記する。）における情報保存は特にバックアップの観点から、磁気メディアによるところが大きい。一方で、磁気メディアは、コンパクトかつ大容量であり、複製も容易であるため、個人情報流出防止の管理の厳格化や不要データの完全廃棄が社会的にも強く求められている。従って、磁気メディアの廃棄には細心の注意が払われ、物理的に破壊する方法や、強力磁場により内容消去する方法が採用されている。
【０００３】
しかしながら、企業等には、専門の廃棄担当がいるわけではなく、また、万一自社処理した場合に情報漏洩があったとすると信用問題に関わる。従って、廃棄専門業者に依頼することによりリスク管理を実現しているのが現状である。
【０００４】
【特許文献１】特開平９−３０５６８８号公報
【発明の開示】
【発明が解決しようとする課題】
【０００５】
しかしながら、従来では以下の問題点があった。
専門業者に廃棄を依頼するとしても、企業等は、業者が引き取った後まで監督するわけではないので、消去作業や破壊作業がブラックボックスになるという問題点があった。換言すれば、廃棄や消去を丸投げ依頼している図式が払拭できず、依然として管理責任・監督責任が追求されかねないという問題点があった。
【０００６】
一方、業者にとっても、企業等ごとのバッチ処理、すなわち、企業往訪→積込み→搬送→搬入→消去破壊作業→別企業への往訪→・・・、といった手順は個別作業という点で確実性には優れるものの作業効率の観点から現実的ではなく、実際には、集荷作業や消去作業・廃棄作業は別個におこなわれる。従って、例えば、搬入庫に複数企業の磁気メディアが投入されるため、潜在的な管理上の問題（混在、廃棄完了の不確定性など）が生じていた。換言すれば、業者側も業務上の管理責任が追求されかねないという問題点があった。
【０００７】
また、近年では、環境配慮型の経営が求められる結果、このような処理業者にあっては、極力資源回収が求められる。
【０００８】
本発明は上記に鑑みてなされたものであって、個別作業を実現し、依頼者と作業者が共に作業現場を確認可能であって、信頼性と確実性の高い環境配慮型のデータカートリッジの処分を可能とすることを目的とする。
【課題を解決するための手段】
【０００９】
上記の目的を達成するために、請求項１に記載のデータ消去装置搭載車は、磁気テープを樹脂製の筐体に収容したＤＬＴ，ＬＴＯ，ＤＤＳ，その他のデータカートリッジのデータを消去してリサイクル容易に破壊するデータ消去装置搭載車であって、車両が、バン型車であって、側方もしくは後方の扉をデータカートリッジ搬入口とし、荷台面に、磁場を印加して磁気データを消去するデータ消去装置と、磁気テープの回転中心を通過するようにデータカートリッジを筐体ごと二つに切断する切断装置と、切断片を収容する切断片収容箱体と、を備え、データ消去装置と切断装置がデータカートリッジを平置きするコンベア式の載置面をそれぞれ有し且つ当該載置面がどちらも略同じ高さであって、上流から下流に向けて、データカートリッジ搬入口、データ消去装置、切断装置、切断片収容箱体が順に並んでいることを特徴とする。
【００１０】
すなわち、請求項１に係る発明は、現場作業を実現するバン型車を用い、その庫内（荷台）において磁気消去と物理破壊の二重処理により複製・復元を不可能とする。また、回転中心を通過する切断により、二つ割りの筐体から短冊状の磁気テープを分離させやすく分別処理が容易となりリサイクル過程に移行させやすい。また、二つ割りなので、データの分断が確実となり、データの再生を事実上不可能とする。なお、ここではデータカートリッジの筐体は、例えば、オープンリールのように側周部分を保護する円盤体も含み、必ずしも密閉構造である必要はないものとする。但し、データカートリッジには磁気テープが捲回して格納されているものであるとする。
【００１１】
また、請求項２に記載のデータ消去装置搭載車は、請求項１に記載のデータ消去装置搭載車において、切断片収容箱体が、磁気テープ収容箱体と筐体収容箱体により構成されていることを特徴とする。
【００１２】
すなわち、請求項２に係る発明は、切断片の分別作業の利便性を向上でき、リサイクル処理に資することができる。なお、例えば、オープンリールタイプのデータカートリッジである場合、磁気テープ部分は固形燃料として再活用でき、リール筐体は、樹脂ペレットとして再利用ができる。
【００１３】
また、請求項３に記載のデータ消去装置搭載車は、請求項１または２に記載のデータ消去装置搭載車において、荷台の壁に沿って、データ消去装置、切断装置、切断片収容箱体を一直線、Ｌ字またはコの字に配置したことを特徴とする。
【００１４】
すなわち、請求項３に係る発明は、装置スペースと作業スペースが分離される結果、作業性が高まり、庫内における１人作業が実現可能となる。なお、データカートリッジ搬入口は、運転席後方側面にある方が好ましい（このとき、助手席側の壁に沿って、データ消去装置、切断装置、切断片収容箱体が配置される）。このようにすれば、データカートリッジ搬入の際等に、死角が生じにくくなり、作業の信頼性が向上する。
【００１５】
また、請求項４に記載のデータ消去装置搭載車は、請求項１、２または３に記載のデータ消去装置搭載車において、データカートリッジ搬入口とデータ消去装置との間にデータカートリッジ投入箱体を備えたことを特徴とする。
【００１６】
すなわち、請求項４に係る発明は、作業場所に出向いた際、庫内に未処理の磁気メディアを一時保管することができ、車外に放置されることがなく、機密情報の管理の確実性と信頼性を高めることができる。なお、配置については、一直線、Ｌ字、場合によってはコの字とする。
【００１７】
また、請求項５に記載のデータ消去装置搭載車は、請求項１〜４のいずれか一つに記載のデータ消去装置搭載車において、切断装置が帯鋸によりデータカートリッジを切断することを特徴とする。
【００１８】
すなわち、請求項６に係る発明は、帯鋸であるため各歯の接触回数が少なく冷却時間を確保でき、丸鋸を用いた場合のように、樹脂製の筐体の溶断が生じず、本来の切断能力を発揮・維持できる。
【００１９】
また、請求項６に記載のデータ消去装置搭載車は、請求項５に記載のデータ消去装置搭載車において、帯鋸が、ハードディスクドライブ筐体も切断可能なＳＫ鋼もしくはハイス鋼を素材としたことを特徴とする。
【００２０】
すなわち、請求項６に係る発明は、ハードディスクも切断でき、適用対象が拡大する。
【発明の効果】
【００２１】
本発明によれば、会社ごと、役所ごとへ出向き、個別のバッチ式作業を実現し、依頼者と作業者が共に作業現場を確認できて、両者の監視下のもと、機密情報の処分が可能となり、信頼性と確実性が向上しかつ、リサイクルも考慮した環境配慮型のデータカートリッジの処分が可能となる。
【発明を実施するための最良の形態】
【００２２】
以下、本発明の実施の形態を図面を参照しながら詳細に説明する。ここでは、磁気データの消去破壊業者の作業者がデータ消去装置搭載車を現場に乗り付け、データカートリッジを回収、消去、切断し、作業終了後に業者敷地内のリサイクル施設で切断片をリサイクルする例について説明する。
【００２３】
図１は、本発明のデータ消去装置搭載車の外観構成を示した図である。データ消去装置搭載車１は、いわゆるバン型車である２ｔトラックであり、車体部２と荷台部３とから構成される。荷台部３は、箱形であって、図示した例では運転席がある右側前方にスライド式扉４が形成されており、ここからデータカートリッジが搬入される。運転席側の荷台部３側面にスライド式扉４を形成すると、作業者が回り込む必要がなく、原理的に常にスライド式扉４を目視可能となる（反対に、運転席側と反対側にスライド式扉を設けると、例えば、運転席に戻る際に扉から目が離れてしまい、セキュリティが低下してしまう）。
【００２４】
図２は、荷台部３内のレイアウトを上部から模式的に示した説明図である。荷台部３内には、投入ボックス５と、磁気データ消去装置６と、切断装置７と、テープ片収容ボックス８と、筐体片収容ボックス９とが、壁に沿ってコの字に配置している。この配置により、作業者は、荷台部３内でほとんど移動しないで1人作業が可能となる。すなわち、作業者は、投入ボックス５からデータカートリッジを取り出して磁気データ消去装置６の上流に載置し、切断装置７で切断され下流に移動してきた切断片から筐体部分を取り分け、筐体片収容ボックス９に投入すればよく、１人作業を実現する。
【００２５】
なお、投入ボックス５のスライド式扉４側には、箱の上部を半分覆うように、ベルトコンベア５１を設けている。これにより、第三者が、車外から手を伸ばしてデータカートリッジを取り出せないようにし、セキュリティが向上した構成としている。また、ベルトコンベア５１が設けられていることにより、磁気データ消去装置６に近いところにデータカートリッジが山積みされることとなり、作業性が向上する。
【００２６】
図３は、磁気データ消去装置６と切断装置７とを、横からみた模式図である。また、図４は、切断装置７の主要部の斜視概要図である。磁気データ消去装置６は、ベルト式のコンベア６１と、強力磁場発生部６２と、を有する。作業者は、データカートリッジをコンベア６１に載せると、当該カートリッジは、コンベア６１により下流に移送される。この間、装置の中央を通過する際、強力磁場発生部６２により印加される強力磁場により磁気データが消去される。磁場の強さは、データが消去できれば特に限定はないが、例えば、５０００［Ｏｅ］（×０．１ｓｅｃ）程度の磁力を挙げることができる。
【００２７】
切断装置７は、ベルト式の左右の対のコンベア７１と、データカートリッジの切断時の位置決めをし、暴れを押さえる規制板７２と、帯鋸７３と、を有する。なお、磁気データ消去装置６のコンベア６１と、切断装置７のコンベア７１の高さは同じとなるように設計されており、データカートリッジが磁気データ消去装置６から連続的に切断装置７に移送される。なお、この例では、規制板７２は位置が固定され、カートリッジ厚みより若干高い位置にて暴れを規制するようにしているが、必要に応じて昇降機構が備わっていても良い。
【００２８】
帯鋸７３は、規制板７２により姿勢が規制されテープの回転中心部を通過する位置でカートリッジを切断する。回転中心を通るようにカートリッジが切断されることにより磁気テープが短冊状に総て切断され、物理的なデータ破壊が実現する。なお、データカートリッジは、実質的に点対称、線対称といった対称形であるため、特に位置出し機構を設けなくても作業者がコンベア６１の中心に載置すれば、そのままコンベア７１に引き込まれて中心で切断されるが、消去装置６のコンベア７１の上部または、規制板７２の直近上流上部に位置出し機構を設けておいても良い。位置出し機構は特に限定されないが、上空に撮像装置およびセンサを設けて形状認識させ、コンベア６１またはコンベア７１の左右に押しだし板を設け、この押しだし板がコンベアの左右からデータカートリッジを左右適当な位置に押すような例を挙げることができる。このほか、コンベア６１にデータカートリッジの種類ごとに載置位置を印した線や図形を描画しておいても良い。尚、図２，図３，および，図４は模式的に表してあり、例えば、帯鋸を周回させる部分などは省略してある。
【００２９】
作業者は、コンベア７１の下流でテープの筐体片を取上げ、筐体回収用ボックスに投入する。残った磁気テープ片は、そのままコンベア７１により、テープ片収容ボックスに落下する。
【００３０】
なお、スライド式扉４は、データカートリッジの搬入の際は投入ボックス５の巾だけ開閉し、作業員は車外から順次データカートリッジを投入し、第三者の荷台部３内の覗き込みや侵入を防止するようにしている。また、投入完了後は、作業員は反対側からスライド式扉４を開けて出入りし、消去破壊作業中はスライド式扉４を閉め切りセキュリティを高めている。また、荷台部３内側の上部には、ミラー１０を２箇所、作業員が手作業をする投入ボックス５と磁気データ消去装置６との間と、切断装置７とテープ片収容ボックス８との間に設けている。これにより、作業員が作業しながら常にスライド式扉４部分を監視できると共に、設置自体が、第三者の侵入の抑止力になり、セキュリティを向上させている。
【００３１】
また、荷台部３の後部には、観音開きの扉１１が設けられている。この扉１１は図示しない錠により錠止され、この錠はデータ消去装置搭載車１が帰着する消去破壊業者の処理場にある鍵のみにより解錠可能となっている。
【００３２】
図５は、上記の一連のデータ消去、破壊の流れに加え、リサイクルの過程を表したフローチャートである。データ消去装置搭載車１は、荷台部３内で大まかな分別回収をおこなっているので、個々の資源をリサイクル過程に移行させやすく、また、車両構造であるので、当該消去破壊業者の敷地内にリサイクル施設があればそこで、なければ専門業者の所に切断片の荷下ろしが容易である。ここでは、消去破壊業者内にリサイクル施設がある場合について説明する。
【００３３】
作業の流れは、まず、作業者がデータ消去装置搭載車１に乗り、依頼のあった企業等へ往訪する（ステップＳ１）。続いて、作業者または当地の職員が、磁気テープの格納されたデータカートリッジを保管庫から作業場へ移動させ、投入ボックス５へ順次搬入する（ステップＳ２）。作業者は、次いで、投入ボックス５からデータカートリッジを取り出し、磁気データ消去装置６のコンベア６１に平置きする（ステップＳ３）。コンベア６１の周回移動により、データカートリッジが下流に移動し、その間に強力磁場発生部６２が発生する強力磁場により、磁気データが消去される（ステップＳ４）。更にコンベア６１の周回移動により、データカートリッジが、引き続き切断装置７のコンベア７１に引き渡される（ステップＳ５）。
【００３４】
続いて、コンベア７１の周回移動により、データカートリッジは、磁気テープの回転中心の位置が帯鋸７３に当たる位置のまま規制板７２側に引き込まれ、帯鋸７３により二つに切断される（ステップＳ６）。切断片のうち、磁気テープ片はコンベア７１によりそのままテープ片収容ボックス８へ、筐体片は作業者により筐体片収容ボックス９に投入される（ステップＳ７）。
【００３５】
作業終了後、作業者は、データ消去装置搭載車１を運転し、処理工場のある自社に戻る（ステップＳ８）。工場では、扉１１を解錠し、まず、テープ片収容ボックス８からテープ片を取り出し固形燃料製造のためのホッパーに投入する（ステップＳ９）。ホッパーに投入されたテープ片は所定の固形燃料化工程（加熱圧縮等）を経て、ＲＰＦ（Refuse Paper ＆ Plastic Fuel）として固形燃料を製造する（ステップＳ１０）。
【００３６】
また、ステップＳ９のホッパー投入後、データ消去装置搭載車１を移動させ、筐体片収容ボックス９から樹脂製の筐体片を取り出し樹脂ペレット製造のためのホッパーに投入する（ステップＳ１１）。ホッパーに投入された筐体片は色分別、素材分別後、エクストルーダにより加熱混練され樹脂ペレットとして再生される（ステップＳ１２）。
【００３７】
なお、特に説明しなかったが、固形燃料加工工程や樹脂ペレット製造工程では適宜、金属片等の不純物を分離回収し、必要に応じて有価金属として引取り業者に売却する。
【００３８】
また、テープ片収容ボックス８と筐体片収容ボックス９の扉１１側の壁板は図６に示したように蔀のように上辺で回動し下側から切断片を落とし込めるようになっている。これにより、作業の効率化が図れる。
【００３９】
なお、以上の例では、データカートリッジの搬入口であり、作業者の出入口であるスライド式扉４が運転席側の荷台部３側面前側に設ける態様を示したが、このほか、背面部分に設けることもできる。このときも、運転席側の背面部分であることが好ましい。
【産業上の利用可能性】
【００４０】
なお、以上の例では、磁気テープを内部で捲回したデータカートリッジについて説明したが、上記の例は、金属切断に用いられる帯鋸を使用しているので、素材をＳＫ鋼、ハイス鋼として、ハードディスクドライブを切断することもできる。
【図面の簡単な説明】
【００４１】
【図１】本発明のデータ消去装置搭載車の外観構成を示した図である。
【図２】荷台部内のレイアウトを上部から模式的に示した説明図である。
【図３】磁気データ消去装置と切断装置とを、横からみた模式図である。
【図４】切断装置の主要部の斜視概要図である。
【図５】一連のデータ消去、破壊、リサイクルの過程を表したフローチャートである。
【図６】テープ片収容ボックスと筐体片収容ボックスの後部扉側の壁板の開閉構造を示した模式図である。
【符号の説明】
【００４２】
１        データ消去装置搭載車
２        車体部
３        荷台部
４        スライド式扉
５        投入ボックス
６        磁気データ消去装置
７        切断装置
８        テープ片収容ボックス
９        筐体片収容ボックス
１０     ミラー
１１     扉
５１     ベルトコンベア
６１     コンベア
６２     強力磁場発生部
７１     コンベア
７２     規制板
７３     帯鋸
【図１】
2008146782.tif 000003
【図２】
2008146782.tif 000004
【図３】
2008146782.tif 000005
【図４】
2008146782.tif 000006
【図５】
2008146782.tif 000007
【図６】
2008146782.tif 000008